【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
データプロセッサを用いて表示デバイス上にＧＵＩを表示するための命令を生成する方法であって、当該ＧＵＩは環境内の人の日常生活動作（ＡＤＬ）のモニタリング用であり、各複数の異なる時点におけるＡＤＬをあらわすための複数のグラフィック要素を有し、当該グラフィック要素が各々、少なくとも第一のグラフィック特徴と、第一のグラフィック特徴と異なる第二のグラフィック特徴により定義され、
前記データプロセッサが、
前記複数の異なる時点の各々についてＡＤＬの属性を取得するステップと、
第一のグラフィック特徴を定義するステップと、
第二のグラフィック特徴を定義するステップであって、第二のグラフィック特徴はグラフィック要素の寸法を有する、ステップと、
各グラフィック要素について、
前記複数の異なる時点の異なる一つに対応するＡＤＬの属性に基づいて第一のグラフィック特徴を設定するステップと、
その特定の要素の第一のグラフィック特徴の設定が基づいたＡＤＬの属性に対応する時点に基づいて第二のグラフィック特徴を設定するステップと、
前記ＧＵＩを表示するための命令を生成するステップと
を実行するステップを有する方法において、
現在時刻に最も近い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも大きくなるように設定され、前記他のグラフィック要素に対する各グラフィック特徴の寸法が、それぞれの時点と現在時刻との間の時間差が増加することに伴い減少することを特徴とする、
方法。
【請求項２】
前記データプロセッサがさらに、
ＡＤＬの属性を第一の閾値と比較するステップと、
取得されたＡＤＬの属性が第一の閾値以上である場合、第一のグラフィック特徴を第一の特徴値へ設定するステップ、又は、
取得されたＡＤＬの属性が第一の閾値未満である場合、第一のグラフィック特徴を第一の特徴値と異なる第二の特徴値へ設定するステップ
を実行する、請求項１に記載の方法。
【請求項３】
前記データプロセッサが前記ステップを繰り返し実行する、請求項１に記載の方法。
【請求項４】
各グラフィック要素が第三のグラフィック特徴により定義され、
前記複数のグラフィック要素が、現在時刻に最も近い時点に対応するＡＤＬの属性をあらわす主グラフィック要素を有し、
前記データプロセッサが、
ＧＵＩにおける位置になるように第三のグラフィック特徴を定義するステップと、
少なくとも前記主グラフィック要素を除く複数のグラフィック要素の位置を、それらがあらわすＡＤＬの属性の現在時刻に対する時間の増加若しくは減少の順にグラフィック要素のアレイにＧＵＩにおいて配列されるように、設定するステップと
を実行する、
請求項１に記載の方法。
【請求項５】
前記データプロセッサが、
現在時刻に最も近い時点に対応するＡＤＬの属性をあらわす前記グラフィック要素の周縁エッジの周りに第三のグラフィック要素を表示するステップであって、前記第三のグラフィック要素は、周縁タイムラインをあらわし、径方向に前記周縁エッジから外側へのびる棒状の要素を含み、前記棒状の要素の各々は、異なる時間におけるＡＤＬの値をあらわす長さを有する、表示するステップ
を実行する、請求項１に記載の方法。
【請求項６】
前記データプロセッサが、
線形アレイになるように前記アレイを定義するステップと、
前記アレイを行型に方向付け、前記アレイを前記主グラフィック要素の隣、及びそれより上若しくは下のいずれかに位置付けるステップ、又は、
前記アレイを列型に方向付け、前記アレイを前記主グラフィック要素の隣、及びその左側若しくは右側のいずれかに位置付けるステップ
を実行する、請求項４に記載の方法。
【請求項７】
前記複数のグラフィック要素が、現在時刻に最も近い時点に対応するＡＤＬの属性をあらわす主グラフィック要素を有し、
ＡＤＬの属性が期間にわたる属性の平均若しくは累積値を有し、
前記データプロセッサがさらに、前記主グラフィック要素によりあらわされるＡＤＬの属性を英数字値としても提供するステップを実行する、
請求項１に記載の方法。
【請求項８】
ＧＵＩが人の複数のＡＤＬのモニタリング用であり、
前記データプロセッサが、
前記人の複数のＡＤＬの属性を取得するステップと、
前記複数のＡＤＬの各一つについて、その一つのＡＤＬをあらわす一つ以上のグラフィック要素をＡＤＬ  ＧＵＩエリア内に位置するように配置するステップと、
異なるＡＤＬ  ＧＵＩエリアを、それらが少なくとも部分的に重ならないようにＧＵＩエリア内に位置付けるステップと
を実行する、
請求項１に記載の方法。
【請求項９】
前記異なるＡＤＬ  ＧＵＩエリアを位置付けるステップが、行若しくは列方向のいずれかでＧＵＩ内に前記異なるＡＤＬ  ＧＵＩエリアを位置付けるステップを有する、請求項８に記載の方法。
【請求項１０】
前記データプロセッサが、
ＡＤＬのグラフィック要素によりあらわされるＡＤＬに対応する、人を識別するための識別データを取得するステップと、
前記識別データをＧＵＩに追加して、ＡＤＬのグラフィック要素が属する人をユーザが識別することを可能にするステップと
を実行する、請求項１に記載の方法。
【請求項１１】
前記ＧＵＩを表示するための前記命令を実行し、表示デバイスに前記ＧＵＩを表示させるステップをさらに有する、請求項１に記載の方法。
【請求項１２】
前記データプロセッサが、
複数の人のＡＤＬデータを有する第一のＧＵＩ画面から、前記複数の人の特定の一人のＡＤＬデータを示すＧＵＩ画面へスイッチする、又は追加ＧＵＩウィンドウにおいて前記複数の人の特定の一人のＡＤＬデータを示す、入力デバイス信号の形のユーザ入力を取得するステップ
を実行する、請求項１に記載の方法。
【請求項１３】
通信ネットワークからダウンロード可能なコンピュータプログラムを保存するための非一時的コンピュータ可読媒体であって、前記コンピュータプログラムは、コンピュータ上で実行されるとき、前記コンピュータに
複数の異なる時点の各々について、環境内の人の日常生活動作（ＡＤＬ）の属性を取得させ、
第一のグラフィック特徴を定義させ、
第二のグラフィック特徴を定義させ、第二のグラフィック特徴は、前記複数の異なる時点にわたるＡＤＬをあらわすためのグラフィック要素の寸法を有し、
前記グラフィック要素の各々に対し、前記複数の異なる時点の異なる一つに対応するＡＤＬの属性に基づいて第一のグラフィック特徴を設定させ、
前記グラフィック要素の各々に対し、その特定の要素の第一のグラフィック特徴の設定が基づいたＡＤＬの属性に対応する時点に基づいて第二のグラフィック特徴を設定させ、
表示装置上にＧＵＩを表示するための命令を生成させ、当該ＧＵＩはＡＤＬのモニタリング用であり、
現在時刻に最も近い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも大きくなるように設定され、
現在時刻から最も遠い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも小さくなるように設定される、
コンピュータプログラムコード命令を有する、非一時的コンピュータ可読媒体。
【請求項１４】
前記データプロセッサが、
現在時刻に最も近い時点に対応するＡＤＬの属性をあらわすグラフィック要素を、前記他のグラフィック要素の上に表示するステップと、
第二のグラフィック要素及び第三のグラフィック要素を、前記現在時刻に最も近い時点に対応する前記グラフィック要素の隣、且つ前記他のグラフィック要素の上に表示するステップと、
を実行し、
第二のグラフィック要素は、昼間の期間中の現在時刻に最も近い時点に対応するＡＤＬの属性の値を示し、
第三のグラフィック要素は、夜間の期間中の現在時刻に最も近い時点に対応するＡＤＬの属性の値を示し、
第二のグラフィック要素は第三のグラフィック要素の上にある、
請求項１に記載の方法。
【請求項１５】
データプロセッサを用いて表示デバイス上にＧＵＩを表示するための命令を生成するシステムであって、当該ＧＵＩは環境内の人の日常生活動作（ＡＤＬ）のモニタリング用であり、各複数の異なる時点におけるＡＤＬをあらわすための複数のグラフィック要素を有し、当該グラフィック要素が各々、少なくとも第一のグラフィック特徴と、第一のグラフィック特徴と異なる第二のグラフィック特徴により定義され、前記システムが前記データプロセッサを有し、
前記データプロセッサが、
前記複数の異なる時点の各々についてＡＤＬの属性を取得し、
第一のグラフィック特徴を定義し、
グラフィック要素の寸法を有する、第二のグラフィック特徴を定義し、
各グラフィック要素について、
前記複数の異なる時点の異なる一つに対応するＡＤＬの属性に基づいて第一のグラフィック特徴を設定し、
その特定の要素の第一のグラフィック特徴の設定が基づいたＡＤＬの属性に対応する時点に基づいて第二のグラフィック特徴を設定し、
前記ＧＵＩを表示するための命令を生成する
ように構成され、
現在時刻に最も近い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも大きくなるように設定され、
現在時刻から最も遠い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも小さくなるように設定され、
現在時刻に最も近い時点と最も遠い時点との間の時点に対応するＡＤＬの属性をあらわすグラフィック要素について、そのグラフィック要素の第二のグラフィック特徴の寸法が、現在時刻に最も近い時間から最も遠い時間へとサイズが減少する、
システム。
【請求項１６】
前記データプロセッサが、
ＡＤＬの属性を第一の閾値と比較し、
取得されたＡＤＬの属性が第一の閾値以上である場合、第一のグラフィック特徴を第一の特徴値へ設定する、又は、
取得されたＡＤＬの属性が第一の閾値未満である場合、第一のグラフィック特徴を第一の特徴値と異なる第二の特徴値へ設定する
ように構成される、請求項１５に記載のシステム。
【請求項１７】
前記データプロセッサがステップを繰り返し実行するように構成される、請求項１５に記載のシステム。
【請求項１８】
各グラフィック要素が第三のグラフィック特徴により定義され、
前記複数のグラフィック要素が、現在時刻に最も近い時点に対応するＡＤＬの属性をあらわす主グラフィック要素を有し、
前記データプロセッサが、
ＧＵＩにおける位置になるように第三のグラフィック特徴を定義し、
少なくとも前記主グラフィック要素を除く複数のグラフィック要素の位置を、それらがあらわすＡＤＬの属性の現在時刻に対する時間の増加若しくは減少の順にグラフィック要素のアレイにＧＵＩにおいて配列されるように、設定する
ように構成される、
請求項１５に記載のシステム。
【請求項１９】
第一のグラフィック要素は円形状である、請求項１５に記載のシステム。
【請求項２０】
前記データプロセッサが、
線形アレイになるように前記アレイを定義し、
前記アレイを行型に方向付け、前記アレイを前記主グラフィック要素の隣、及びそれより上若しくは下のいずれかに位置付ける、又は、
前記アレイを列型に方向付け、前記アレイを前記主グラフィック要素の隣、及びその左側若しくは右側のいずれかに位置付ける
ように構成される、請求項１８に記載のシステム。
【請求項２１】
前記複数のグラフィック要素が、現在時刻に最も近い時点に対応するＡＤＬの属性をあらわす主グラフィック要素を有し、
ＡＤＬの属性が期間にわたる属性の平均若しくは累積値を有し、
前記データプロセッサが、前記主グラフィック要素によりあらわされるＡＤＬの属性を英数字値としても提供するように構成される、
請求項１５に記載のシステム。
【請求項２２】
ＧＵＩが人の複数のＡＤＬのモニタリング用であり、
前記データプロセッサが、
前記人の複数のＡＤＬの属性を取得し、
前記複数のＡＤＬの各一つについて、その一つのＡＤＬをあらわす一つ以上のグラフィック要素をＡＤＬ  ＧＵＩエリア内に位置するように配置し、
異なるＡＤＬ  ＧＵＩエリアを、それらが少なくとも部分的に重ならないようにＧＵＩエリア内に位置付ける
ように構成される、
請求項１５に記載のシステム。
【請求項２３】
前記異なるＡＤＬ  ＧＵＩエリアを位置付けることが、行若しくは列方向のいずれかでＧＵＩ内に前記異なるＡＤＬ  ＧＵＩエリアを位置付けることを有する、請求項２２に記載のシステム。
【請求項２４】
前記データプロセッサが、
ＡＤＬのグラフィック要素によりあらわされるＡＤＬに対応する、人を識別するための識別データを取得し、
前記識別データをＧＵＩに追加して、ＡＤＬのグラフィック要素が属する人をユーザが識別することを可能にする
ように構成される、請求項１５に記載のシステム。
【請求項２５】
前記データプロセッサが更に、生成された前記命令に基づいてＧＵＩを表示する、請求項１５に記載のシステム。
【請求項２６】
前記データプロセッサを有し、生成されたＧＵＩの表示のための命令をクライアントデバイス若しくは通信ネットワークへ送信するように構成される、サーバデバイス
を有する、請求項１５に記載のシステム。
【請求項２７】
前記データプロセッサを有するサーバデバイスと、
前記表示デバイスを有するクライアントデバイス
を有し、
前記サーバデバイスが、生成されたＧＵＩの表示のための命令をリモートクライアントデバイスへ送信するように構成され、
前記リモートクライアントデバイスが、前記生成されたＧＵＩの表示のための命令を受信し、当該命令を用いてＧＵＩを表示するように構成される、
請求項２５に記載のシステム。
【請求項２８】
前記データプロセッサと前記表示デバイスを有するクライアントデバイス
を有する、請求項２５に記載のシステム。